(57)【要約】【課題】  写真撮影プリント装置が作成した合成画像の多様化を図ることができる画像変換装置を実現する。【解決手段】  季節情報取得部４１ａが、時計・カレンダ部４３が生成した現在の時情報を取得し、季節スタンプ画像取得部４１ｂが、記憶部４２から、季節情報取得部４１ａが取得した時情報に対応した季節スタンプ画像情報を取得する。季節スタンプ更新部４１ｃは、季節画像取得部４１ｂが取得した季節スタンプ画像情報に基づいて、写真撮影プリント装置５が作成した合成画像における季節スタンプ画像を更新する。【選択図】  図１
2005303851.tif 000002
【特許請求の範囲】
【請求項１】
被写体を撮影して撮影画像に装飾用の装飾画像を合成した合成画像をプリントする写真撮影プリント装置が作成した合成画像に対して画像変換を行う画像変換装置において、
時情報を生成する時情報生成部が生成した現在の時情報を取得する時情報取得手段と、
時情報に対応付けた複数の装飾画像情報を記憶する記憶部から、上記時情報取得手段が取得した現在の時情報に対応した装飾画像情報を取得する装飾画像取得手段と、
上記装飾画像取得手段が取得した装飾画像情報に基づいて、上記合成画像における装飾画像を更新する装飾画像更新手段とを備えることを特徴とする画像変換装置。
【請求項２】
上記記憶部は、写真撮影プリント装置において利用者の選択に供される複数の装飾画像毎に時情報に応じた装飾画像情報を有しており、
上記装飾画像取得手段は、利用者が選択した種類の装飾画像に対応した装飾画像情報を取得することを特徴とする請求項１に記載の画像変換装置。
【請求項３】
ネットワークを介して、上記写真撮影プリント装置から上記合成画像を受信する通信部を備えることを特徴とする請求項１または２に記載の画像変換装置。
【請求項４】
請求項３に記載の画像変換装置と、上記記憶部と、上記時情報生成部とを備えたことを特徴とするサーバ装置。
【請求項５】
上記通信部は、さらに、ネットワークを介して、修飾画像が更新された更新合成画像を通信端末装置へ送信することを特徴とする請求項４に記載のサーバ装置。
【請求項６】
請求項１ないし３の何れか１項に記載の画像変換装置と、
修飾画像が更新された更新合成画像を表示する画像表示部とを備えることを特徴とする通信端末装置。
【請求項７】
撮影画像に装飾用の装飾画像を合成した合成画像をプリントする写真撮影プリント装置が作成した合成画像に対して画像変換を行う画像変換装置の制御方法において、
時情報を生成する時情報生成部が生成する現在の時情報を取得する時情報取得ステップと、
時情報に対応付けた複数の装飾画像情報を記憶する記憶部から、上記時情報取得手段が取得した現在の時情報に対応した装飾画像情報を取得する装飾画像取得ステップと、
上記装飾画像取得ステップで取得した装飾画像情報に基づいて、上記合成画像における装飾画像を更新する装飾画像更新ステップとを備えることを特徴とする画像変換装置の制御方法。
【請求項８】
請求項１ないし３に記載の画像変更装置が備える上記各手段をコンピュータに実現させる画像変換装置の制御プログラム。
【請求項９】
請求項８に記載の画像変換装置の制御プログラムを記録したコンピュータ読み取り可能な記録媒体。
【請求項１０】
写真撮影画像に装飾用の装飾画像を合成した合成画像に対して画像変換を行う画像変換装置において、
時情報を生成する時情報生成部が生成した現在の時情報を取得する時情報取得手段と、
時情報に対応付けた複数の装飾画像情報を記憶する記憶部から、上記時情報取得手段が取得した現在の時情報に対応した装飾画像情報を取得する装飾画像取得手段と、
上記装飾画像取得手段が取得した装飾画像情報に基づいて、上記合成画像における装飾画像を更新する装飾画像更新手段とを備えることを特徴とする画像変換装置。
【発明の詳細な説明】
【技術分野】
【０００１】
本発明は、撮影画像に装飾用の装飾画像を合成した合成画像をプリントする写真撮影プリント装置が作成した合成画像に対して画像変換を行う、画像変換装置、画像変換装置を備えたサーバ装置、画像変換装置を備えた通信端末装置、画像変換装置の制御方法、およびコンピュータ読み取り可能な記録媒体に関するものである。
【背景技術】
【０００２】
従来、例えばゲームセンターなどの娯楽施設において、利用者の写真撮影を行うとともに、その写真を背景画像などと合成した上でシールプリントとして出力する写真撮影プリント装置（写真画像編集印刷装置、写真シール機）が設置されており、人気を博している。この写真撮影プリント装置では、例えば、写真撮影が行われた後に、表示画面上に表示させた撮影画像に対して、タッチペンなどのポインティングデバイスによって落書き（画像編集）を施すことが可能となっている機種が普及している。この落書き機能によって、利用者は撮影画像に対して、例えば背景の色や模様を変更したり、文字やイラストなどを書き込んだりすることが可能となる。これにより、落書き機能を有する写真撮影プリント装置では、出力するシールプリントの装飾性を高めることができるとともに、落書きの行為自体によって写真撮影プリント装置を利用したゲームの娯楽性を向上させることができる。
【０００３】
上記の画像編集機能としては、いわゆる「スタンプ」と呼ばれる画像の合成を可能としたものも多い。スタンプは、一般に、写真撮影プリント装置に予め準備された図案やマークなどの画像である。利用者は、落書きの一環として、その写真撮影プリント装置に準備されているスタンプの中から所望とするスタンプを選択し、撮影画像の所定の位置に貼り付けるといった方法でスタンプを利用する。これにより、写真撮影プリント装置から、スタンプの合成された撮影画像をプリントしたシールプリントが出力される。このようなスタンプを利用できる装置は、例えば特許文献１に開示されている。
【０００４】
また、写真撮影プリント装置において、撮影画像に合成する期間限定のフレーム画像を自動的に更新できるものが、例えば特許文献２に記載されている。
【０００５】
また、写真撮影プリント装置にて作成した合成画像を携帯電話機に配信するシステムが、例えば特許文献３に記載されている。
【特許文献１】特開２０００−６９４０４号公報（公開日２０００年３月３日）
【特許文献２】特開２０００−７８５０１号公報（公開日２０００年３月１４日）
【特許文献３】特開２００１−１４８８３９号公報（公開日２００１年５月２９日）
【発明の開示】
【発明が解決しようとする課題】
【０００６】
ところが、特許文献１に開示されているような従来の技術では、スタンプの選択は予め設定されている種類の範囲内に限られていた。このため、スタンプは飽きられやすいものになっていた。
【０００７】
また、写真シール紙を手帳等に貼った場合、あるいは、サーバ後日その写真シール紙を見るとき、写真撮影をした時を思い出すことができても、代わり映えのしないものとなってしまう。そのため、何度見ても楽しめるといったことは少ない。
【０００８】
本発明は、写真撮影プリント装置が作成した合成画像の多様化を図ることができる、画像変換装置、画像変換装置を備えたサーバ装置、画像変換装置を備えた通信端末装置、画像変換装置の制御方法、およびコンピュータ読み取り可能な記録媒体を提供することを目的としている。
【課題を解決するための手段】
【０００９】
本発明に係る画像変換装置は、上記課題を解決するために、被写体を撮影して撮影画像に装飾用の装飾画像を合成した合成画像をプリントする写真撮影プリント装置が作成した合成画像に対して画像変換を行う画像変換装置において、時情報を生成する時情報生成部が生成した現在の時情報を取得する時情報取得手段と、時情報に対応付けた複数の装飾画像情報を記憶する記憶部から、上記時情報取得手段が取得した現在の時情報に対応した装飾画像情報を取得する装飾画像取得手段と、上記装飾画像取得手段が取得した装飾画像情報に基づいて、上記合成画像における装飾画像を更新する装飾画像更新手段とを備えることを特徴としている。
【００１０】
また、本発明に係る画像変換装置の制御方法は、上記課題を解決するために、撮影画像に装飾用の装飾画像を合成した合成画像をプリントする写真撮影プリント装置が作成した合成画像に対して画像変換を行う画像変換装置の制御方法において、時情報を生成する時情報生成部が生成する現在の時情報を取得する時情報取得ステップと、時情報に対応付けた複数の装飾画像情報を記憶する記憶部から、上記時情報取得手段が取得した現在の時情報に対応した装飾画像情報を取得する装飾画像取得ステップと、上記装飾画像取得ステップで取得した装飾画像情報に基づいて、上記合成画像における装飾画像を更新する装飾画像更新ステップとを備えることを特徴としている。
【００１１】
上記の構成及び方法によると、時情報に対応付けた複数の装飾画像情報を記憶する記憶部から、現在の時情報に応じて装飾画像情報を取得し、これに基づいて装飾画像を構成し、撮影画像と合成することで、装飾画像を更新することができる。
【００１２】
そのため、現在の時情報に応じて合成画像を変化させることができる。ここで、時情報とは、時間、日、月、季節あるいは、年等、「とき」の情報を指すものとする。そして、現在の時情報を取得するとは、現在が何時であるか、何日であるか、何月であるか、現在の季節は何か、あるいは、何年であるか等を、認識することである。合成画像における装飾画像は、この現在の時情報に対応して更新されるため、写真撮影プリント装置が作成した合成画像の多様化を図ることができる。よって、利用者が同じ撮影画像を見る場合であっても、それが二度目以上であっても、「とき」によって装飾画像が更新されるため、常に新鮮な印象を与えることができる。そのため、再度同じ撮影画像を見る利用者の飽きがくるのを抑制することができるようになる。利用者においては、同じ撮影画像を何度見ても違った印象で楽しむことができる。よって、利用者は繰り返し使用することで、写真撮影プリント装置を使用する顧客の拡大に繋げることができる。
【００１３】
本発明に係る画像変換装置は、上記構成に加え、上記記憶部が、写真撮影プリント装置において利用者の選択に供される複数の装飾画像毎に時情報に応じた装飾画像情報を有しており、上記装飾画像取得手段は、利用者が選択した種類の装飾画像に対応した装飾画像情報を取得してもよい。
【００１４】
上記構成によると、合成画像の装飾画像に対し、写真撮影プリント装置で利用者の選択した複数の装飾画像毎に、時情報に応じた装飾画像を用いて更新することができる。そのため、さらなる合成画像の多様化を図ることができ、利用者の飽きをさらに防ぐことができる。
【００１５】
本発明に係る画像変換装置は、上記構成に加え、ネットワークを介して、通信装置を備えた写真撮影プリント装置から上記合成画像を受信する通信部を備えていてもよい。
【００１６】
上記構成によると、通信部から受信した写真撮影プリント装置が合成した合成画像に対して、装飾画像の更新を行うことができる。そのため、ネットワークを介することで、通信装置を備えた複数の写真撮影プリント装置において作成したそれぞれの画像に対しても、装飾画像の更新を行うことができる。
【００１７】
本発明に係るサーバ装置は、上記課題を解決するために、上記画像変換装置と、上記記憶部と、上記時情報生成部とを備えていることを特徴とする。
【００１８】
上記の構成のように、サーバ装置を写真撮影プリント装置とは別に設け、これらサーバ装置と写真撮影プリント装置とを外部のネットワークで接続するようにしてもよい。ここで、サーバ装置に複数の写真撮影プリント装置が接続していれば、一つのサーバ装置で、別々に設置された複数の写真撮影プリント装置が合成した合成画像に対して、装飾画像の更新をすることができる。そのため、サーバ装置のコストや維持費等を削減することができる。
【００１９】
上記通信部は、さらに、ネットワークを介して修飾画像が更新された更新合成画像を通信端末装置へ送信することを特徴とする請求項４に記載のサーバ装置。
【００２０】
上記構成によると、利用者の要求に応じて、利用者に更新合成画像を送信することができる。そのため利用者は、通信端末装置において、ネットワークを介して修飾画像が更新された更新合成画像を受信することができる。
【００２１】
本発明に係る通信端末装置は、上記課題を解決するために、上記画像変換装置と、修飾画像が更新された更新合成画像を表示する画像表示部とを備えることを特徴としている。
【００２２】
上記構成によれば、利用者の通信端末装置において、写真撮影プリント装置が合成した合成画像に対して時情報に応じて装飾画像を更新して、更新合成画像を画像表示部で表示することができる。よって、利用者は、別途設けられた画像変換装置にアクセスして更新合成画像を閲覧するようなことはしなくてもよい。つまり、利用者にとっては、更新合成画像を閲覧するための通信費用がかからないという利点がある。また、アクセスするための、アドレスやＩＤの入力といった面倒な操作も必要がなくなる。
【００２３】
なお、画像変換装置は、コンピュータにより実現してもよく、この場合には、コンピュータを上記各手段として動作させることにより上記画像変換装置をコンピュータにて実現させる画像変換装置の制御プログラム、及びその画像変換装置の制御プログラムを記録したコンピュータ読み取り可能な記録媒体も、本発明の範疇に入る。
【００２４】
これらの構成によれば、画像変換装置の制御プログラムを、コンピュータに読み取り実行させることによって、上記画像変換装置と同一の作用効果を実現することができる。
【発明の効果】
【００２５】
本発明に係る画像変換装置は、以上のように、現在の時情報を生成する時情報生成部が生成した時情報を取得する時情報取得手段と、時情報に対応付けた複数の装飾画像情報を記憶する記憶部から、上記時情報取得手段が取得した時情報に対応した装飾画像情報を取得する装飾画像取得手段と、上記画像取得手段が取得した装飾画像情報に基づいて、上記合成画像における装飾画像を更新する装飾画像更新手段とを備える。
【００２６】
上記構成によると、時情報に対応付けた複数の装飾画像情報を記憶する記憶部から、現在の時情報に応じて装飾画像情報を取得し、これに基づいて装飾画像を構成し、撮影画像と合成することで、装飾画像を更新することができる。
【００２７】
そのため、現在の時情報に応じて合成画像を変化させることができる。ここで、時情報とは、時間、日、月、季節あるいは、年等、「とき」の情報を指すものとする。そして、現在の時情報を取得するとは、現在が何時であるか、何日であるか、何月であるか、現在の季節は何か、あるいは、何年であるか等を、認識することである。合成画像における装飾画像は、この現在の時情報に対応して更新されるため、写真撮影プリント装置が作成した合成画像の多様化を図ることができる。よって、利用者が同じ撮影画像を見る場合であっても、それが二度目以上であっても、「とき」によって装飾画像が更新されるため、常に新鮮な印象を与えることができる。そのため、再度同じ撮影画像を見る利用者の飽きがくるのを抑制することができるようになる。利用者においては、同じ撮影画像を何度見ても違った印象で楽しむことができる。よって、利用者は繰り返し使用することで、写真撮影プリント装置を使用する顧客の拡大に繋げることができる。
【発明を実施するための最良の形態】
【００２８】
〔実施の形態１〕
本発明の実施の一形態について図１〜図１０に基づいて説明すれば、以下のとおりである。
【００２９】
（画像変換システムの全体構成）
図１は、本実施形態における画像変換装置（サーバ装置４）を有する画像変換システム１の構成を示すブロック図である。
【００３０】
画像変換システム１は、ネットワーク２にそれぞれ接続された、サーバ装置（画像変換装置）４及び写真撮影プリント装置５…を含んで構成されている。また、画像変換システム１には、ネットワーク２を介して携帯電話機３…からのアクセスが可能になっている。なお、通常、画像変換システム１には複数の写真撮影プリント装置５…が含まれるが、単一の写真撮影プリント装置５が含まれていてもよい。
【００３１】
写真撮影プリント装置５は、例えばゲームセンターなどの娯楽施設において、利用者の写真撮影を行い、その撮影画像に対して画像編集、いわゆる「落書き」を施した合成画像をシール紙などのプリント紙にプリントして出力し、写真撮影プリント装置５の利用者（以下、単に「利用者」という）に提供する装置である。
【００３２】
サーバ装置４は、写真撮影プリント装置５で作成した合成画像に対して、「落書き」に用いられたいわゆる「スタンプ」を、本実施形態では季節に応じて更新して、更新した合成画像を作成する装置である。スタンプとは、写真撮影プリント装置５での撮影画像に合成され、撮影画像を装飾するための画像である。なお、サーバ装置４、スタンプの詳細な説明は後述する。また、サーバ装置４は、一般には複数の写真撮影プリント装置５…に対して共通に設けられている装置である。
【００３３】
携帯電話機３としては、通常、利用者の所有している携帯電話機が想定される。なお、本実施形態では、利用者が携帯電話機３を用いて画像変換システム１にアクセスすることを前提として説明するが、これに限らず、ＰＨＳ（登録商標）端末やＰＤＡ（Personal Digital Assistant）、パーソナルコンピュータなどを用いて画像変換システム１にアクセスしてもかまわない。
【００３４】
ネットワーク２は、例えば公衆電話回線、携帯電話回線、ＰＨＳ回線、インターネットなどで構成されており、サーバ装置４と写真撮影プリント装置５との間の情報通信、及びサーバ装置４と携帯電話機３との間の情報通信を実現するものである。
【００３５】
（画像変換システムの利用形態）
画像変換システム１の利用形態について概略的に説明する。利用者は、娯楽施設などに設置されている写真撮影プリント装置５を用いてゲームを行う。このゲームにおいて、利用者は、写真撮影を行い、写真撮影プリント装置５上で撮影画像に対する編集処理として落書きを行う。この落書きの一環として、利用者はスタンプを選択し、撮影画像に合成する。
【００３６】
ここで、本画像変換システム１の写真撮影プリント装置５では、スタンプとして、ゲーム時の季節に応じた季節スタンプ（装飾画像）が準備されている。なお、スタンプは季節に応じたものに限定されることはなく、例えば、日にちや時間帯に応じたスタンプ等であってもよい。
【００３７】
そして、撮影画像にスタンプを合成した画像（合成画像）を、写真撮影プリント装置５がプリントして出力することで、利用者は、そのプリント物をゲームの成果として得ることができる。また、本画像変換システム１では、利用者は、落書きで用いた季節スタンプの種類と撮影画像との組合をサーバ装置４に登録することができる。このとき、利用者は
、合成画像の所有者としての自己の識別情報（ＩＤ）として、また、サーバからの情報を受信するために、自己の携帯電話機のメールアドレスを一緒に登録する。これにより、写真撮影プリント装置５での利用者のゲームは終了する。
【００３８】
サーバ装置４では、記憶部４２において、写真撮影プリント装置５から送られてくる季節スタンプ種類情報と撮影画像情報との組合せと、利用者の識別情報（ＩＤ）とを対応付けて記憶する。本実施形態では、ＩＤは、上述のように登録時に利用者が入力した利用者のメールアドレスとする。
【００３９】
写真撮影プリント装置５でのゲームの終了後、サーバ装置４から利用者のメールアドレスに合成画像の保存先のアドレス（あるいは保存先へのアクセスＩＤ）が送られる。
【００４０】
利用者は、自己の携帯電話機３を用いてサーバ装置４にアクセスし、アクセスした季節により、季節スタンプが更新された合成画像を観察したり、あるいは、この画像をダウンロードしたりすることができる。
【００４１】
季節スタンプは、季節によって更新されるので、同じ撮影画像であっても、季節によって別の図柄の合成画像となる。その結果、再度同じ撮影画像を見る利用者の飽きがくるのを抑制することができるようになる。このように、写真撮影プリント装置が作成した合成画像の多様化を図ることができる。利用者においては、同じ撮影画像を何度見ても違った印象で楽しむことができる。よって、写真撮影プリント装置を使用する顧客の拡大に繋げることができる。よって、利用者は繰り返し使用することで、写真撮影プリント装置を使用する顧客の拡大に繋げることができる。
【００４２】
以下では、サーバ装置４、写真撮影プリント装置５、及び携帯電話機３について詳細に説明する。
【００４３】
（サーバ装置の構成）
まず、サーバ装置４について説明する。サーバ装置４は、ＣＰＵ（Central Processing Unit）などからなる制御部４１、ハードディスクなどからなる記憶部４２、時情報を生成する時計・カレンダ部４３、ネットワーク２とのインターフェイスである通信部４４を備えている。
【００４４】
記憶部４２は、制御部４１による制御に必要な情報（プログラムなどを含む）を記憶している。また、季節スタンプ画像テーブル４２ａ、合成画像データベース４２ｂを格納している。
【００４５】
季節スタンプ画像テーブル４２ａは、図２に示すように、写真撮影プリント装置５において利用者の選択に供される季節スタンプ毎に、各季節に応じた季節スタンプ画像データが用意されているテーブルである。図２において、横の列が選択に供される季節スタンプの種類であり、縦の列がその種類毎の季節に対応した季節スタンプ画像である。この季節スタンプ画像テーブルは外部からダウンロードでき、更新できるようになっていてもかまわない。
【００４６】
合成画像データベース４２ｂには、利用者のＩＤ、利用者が写真撮影プリント装置５での落書き時に選択した季節スタンプ情報、撮影画像情報が互いに対応付けられたものが、レコードとして記憶されている。ここで本実施形態では、ＩＤは、上述のように登録時に利用者が入力した利用者のメールアドレスである。しかし、メールアドレスには限定されず、利用者を区別して認識できるものであればよい。
【００４７】
選択季節スタンプ情報は、利用者が写真撮影プリント装置５に選択した季節スタンプの画像データ（選択季節スタンプ画像データ）、および、写真撮影プリント装置５にて作成された合成画像における季節スタンプを施した位置のデータ（スタンプ位置データ）からなっている。撮影画像情報は、利用者が写真撮影プリント装置５にて撮影した撮影画像の画像データ（撮影画像データ）からなっている。
【００４８】
制御部４１は、サーバ装置４における処理全体を制御する。また制御部４１は、季節情報取得部（時情報取得手段）４１ａ、季節スタンプ画像取得部（装飾画像取得部）４１ｂ、季節スタンプ更新部（装飾画像更新手段）４１ｃ、合成画像データベース管理部４１ｄとを備える。
【００４９】
季節情報取得部４１ａは、携帯電話機３からサーバ装置４にアクセスがあった際、時計・カレンダ部４３が発生する日時情報（時情報）を取得し現在の季節を認識する。
【００５０】
季節スタンプ画像取得部４１ｂは、合成画像データベース４２ｂから、携帯電話機３から送られてくるＩＤに対応するレコードに含まれる選択季節スタンプ画像データを読み出す。そして、季節情報取得部４１ａが認識した現在の季節を基に、季節スタンプ画像テーブル４２ａから、読み出した選択季節スタンプ画像データに対応する、現在の季節の季節スタンプ画像データを読み込む。
【００５１】
季節スタンプ更新部４１ｃは、合成画像データベース４２ｂから、携帯電話機３から送られてくるＩＤに対応するレコードに含まれるスタンプ位置データを基に、季節スタンプ画像取得部４１ｂが取得した季節スタンプ画像データを用いて、合成画像における季節スタンプ画像を更新する。つまり、合成画像における季節スタンプの画像が、利用者が選択したものから、季節に応じたものに更新される。このとき、季節スタンプ更新部４１ｃは、携帯電話機３から送られてくるＩＤに対応するレコードに含まれる撮影画像を読み出して、上記更新を行う。
【００５２】
合成画像データベース管理部は、写真撮影プリント装置５からの登録処理に基づいて、写真撮影プリント装置５から送られてくるＩＤ、季節スタンプ情報、撮影画像情報を合成画像データベース４２ｂへ書き込む（登録する）。
【００５３】
（写真撮影プリント装置の構成）
次に、写真撮影プリント装置５について説明する。なお、図１には写真撮影プリント装置５の主な構成要素のみをブロックとして示しており、ここでは、まず図１に図示した構成要素について説明する。写真撮影プリント装置５の外観や他の構成要素については、さらに後述する。
【００５４】
写真撮影プリント装置５は、パーソナルコンピュータなどからなる制御装置５１、ネットワーク２とのインターフェイスである通信装置５２、タッチパネル式表示装置などからなる表示操作ユニット５３、撮影用のカメラなどを備える撮影ユニット５４、プリンタなどを備えるプリントユニット５５、及びハードディスクなどからなる記憶装置５６を備えている。
【００５５】
制御装置５１は、写真撮影プリント装置５における処理全体を制御する。また、制御装置５１は画像合成部５１ａや登録処理部５１ｂを有している。
【００５６】
画像合成部５１ａは、写真撮影プリント装置５を用いたゲームにおいて利用者が選択した、季節スタンプ情報と、撮影ユニット５４で生成した撮影画像情報とを合成し、合成画像を作成し、この合成画像の画像データ（合成画像データ）をプリントユニット５５に送ることで、プリントユニット５５によってプリントさせる。
【００５７】
また、登録処理部５１ｂは、合成画像を、サーバ装置４の合成画像データベース４２ｂに登録するための登録処理を行う。また、登録処理の際に登録処理部５１ｂは、季節スタンプ情報とともに、表示操作ユニット５３から入力される利用者のＩＤや、撮影ユニット５４にて生成した撮影画像情報などを、通信装置５２を介してサーバ装置４に送る。
【００５８】
記憶装置５６は、制御装置５１による制御に必要な情報（プログラムなどを含む）を記憶するとともに、利用者が写真撮影プリント装置５において季節スタンプを選択する際の季節スタンプ画像情報を記憶している。
【００５９】
次に、図３及び図４に基づいて写真撮影プリント装置５の外観について説明する。写真撮影プリント装置５は、本体５７及び撮影室５８から構成されている。図３（ａ）及び図３（ｂ）は、写真撮影プリント装置５のそれぞれ正面図及び側面図である。また、図４（ａ）及び図４（ｂ）は、写真撮影プリント装置５の本体のそれぞれ正面図及び側面図である。
【００６０】
撮影室５８は、本体５７と、カーテンバー６５に取り付けられているメインカーテン６６及びサイドカーテン６７とによって外部から仕切られた空間である。なお、この写真撮影プリント装置５は撮影室５８にて撮影処理と編集処理とが行われるものとするが、撮影室５８とは別に編集処理を行う空間が設けられていてもかまわない。利用者は、サイドカーテン６７付近から撮影室５８内に入ってゲームを行う。メインカーテン６６及びサイドカーテン６７は、撮影中の利用者の様子を外部からのぞかれないようにするための目隠し目的と、フラッシュボックス６０からの撮影用の照明を散乱させて撮影条件の向上を図る目的とで設けられている。撮影条件を重視する場合は、メインカーテン６６及びサイドカーテン６７の内面を白色にすることが好ましい。
【００６１】
本体５７には、常光灯５９、フラッシュボックス６０、カメラ６１、アンテナ６２、タッチパネル一体型モニタ６３、及びタッチペン６４が設けられている。
【００６２】
常光灯５９は、蛍光灯などからなり、ゲーム中に撮影室５８内を照明する。フラッシュボックス６０は、ストロボ照明装置などからなり、主として撮影室５８中の撮影画角の中心付近を照明範囲とするように設置されている。フラッシュボックス６０は、反射板や拡散板などを内蔵しており、ストロボの光をバウンズさせて出射させることで、ストロボの強い光をソフトな雰囲気の光に緩和させて撮影画像の向上を図る。常光灯５９とフラッシュボックス６０との主な機能の違いは、フラッシュボックス６０がカメラ６１による撮影の瞬間のみ発光するのに対し、常光灯５９はゲーム開始から終了まで撮影室５８内を照明している点にある。なお、必要に応じて、常光灯５９やフラッシュボックス６０から発光される光量が変化したり、照明の方向が変更したりするようになっていてもよい。
【００６３】
カメラ６１は、上述した撮影ユニット５４に含まれており、撮影室５８内の利用者を撮影し、撮影画像データを生成する。カメラ６１は本体５７の撮影室５８側正面のほぼ中央に位置し、被写体の撮影ができるようになっている。なお、上下移動や角度調整ができるように設けられていてもよい。また、カメラ６１は、利用者により写真撮影操作が行われると、その画像データを撮影画像データとして取り込み、その前後では、動画像をビデオ信号としてタッチパネル一体型モニタ６３に出力する。従って、タッチパネル一体型モニタ６３には、カメラ６１で撮影される動画像が表示される。利用者は、このタッチパネル一体型モニタ６３の表示を見ながら、つまり、ライブビュー画像を見ながらながら、ポーズや表情を確認することができる。
【００６４】
タッチパネル一体型モニタ６３及びタッチペン６４は、上述した表示操作ユニット５３に含まれている。タッチパネル一体型モニタ６３は、例えば液晶表示素子などのフラットパネルディスプレイやＣＲＴ（cathode ray tube）等の表示面にタッチセンサを設けて構成されている。タッチパネル一体型モニタ６３は、上記制御装置５１やカメラ６１から出力される映像信号に基づいて、撮影処理および編集処理における各種メッセージや画像などが表示する。具体的には、デモ画面、オープニング画面、課金処理指示画面、撮影処理および編集処理における各種操作内容等のメッセージや画像、落書きなどの画像編集処理時における編集対象の画像および各種編集ツールなどが表示される。また、撮影時の動画像等を表示する。タッチパネル一体型モニタ６３は、操作ガイダンスの表示や編集処理操作画面の表示において、利用者の選択するボタンなどを表示する。利用者は、表示されているボタンなどから所望するものを選択し、タッチペン６４を用いてそのボタンなどの位置に触れる。タッチパネル一体型モニタ６３は、タッチパネルに触れたタッチペン６４の座標を制御装置５１に送るようになっており、利用者の選択したボタンなどの認識を可能としている。
【００６５】
タッチペン６４はタッチパネル一体型モニタ６３の近傍に備えられている。利用者は、このタッチペン６４をタッチパネル一体型モニタ６３に接触させることによって、処理の進行に応じて表示されるボタンを選択したり、落書きなどの画像描画を行ったりすることが可能となる。また、タッチペン６４には、本体５７につながれたケーブルが接続されており、このケーブルにより本体５７からの電力供給を実現するとともに、タッチペン６４の持ち去り防止を図っている。なお、タッチペン６２が２つ設置されていることにより、２人の利用者が同時に落書き処理などを入力することができるようになっていてもよい。
【００６６】
なお、本実施形態では、タッチパネル一体型モニタ６３及びタッチペン６４を撮影処理用及び編集処理用として設けているが、それぞれ別に設けてもかまわない。また、タッチパネル一体型モニタ６３は、一体型になっておらず、例えばモニタと別に入力ボタン等が設けられていてもかまわない。
【００６７】
また、例えば、タッチパネル一体型モニタ６３付近にスピーカ（図示せず）が設けられていて、利用者に対して各種操作上のガイダンス音声や効果音、ＢＧＭ（back ground music）などを出力してもよい。
【００６８】
アンテナ６２は、上述した通信装置５２の一構成要素であり、上記ネットワーク２との通信を実現している。
【００６９】
なお、図示しないが、本体５７の側面には、コイン投入口やプリント排出口などが設けられている。利用者は、コイン投入口からコインを投入しゲームを開始する。また、プリント排出口からプリント物を受け取ることができる。
【００７０】
ここで、上述したプリントユニット５５について図５に基づいて説明を加えておく。プリントユニット５５は、プリンタ６８及びＩＤタグリーダ／ライタ６９を備えている（「ＩＤタグ」のＩＤは、サーバ装置４の合成画像データベース４２ｂにおける「ＩＤ」と無関係である）。なお、プリンタ６８及びＩＤタグリーダ／ライタ６９は、上述した制御装置５１により制御される。
【００７１】
プリンタ６８及びＩＤタグリーダ／ライタ６９に対しては、それぞれ合成画像の出力媒体となるプリント紙６８ａ及びＩＤタグ６９ａがプリント紙ユニットとしてセットで納入されるようになっている。
【００７２】
プリンタ６８は、出力すべき合成画像データが画像合成部５１ｃから送られてくると、その合成画像データに基づいてプリント紙６８ａに印刷を行うものである。このプリンタ６８としては、例えば昇華型プリンタが用いられる。なお、昇華型プリンタを用いる場合には、プリント紙６８ａおよびＩＤタグ６９ａに加えて、昇華型用インクフィルムがセットととなって納入されることになる。
【００７３】
ＩＤタグリーダ／ライタ６９は、ＩＤタグ６９ａに記録されているプリント紙識別情報を読み出して制御装置５１に出力する。ＩＤタグ６９ａは、メモリ機能を有するＩＣチップなどによって構成されるものである。上記プリント紙識別情報としては、プリント紙６８ａの固有識別記号、用紙枚数、用紙種類、および、インク固有の色情報（インクフィルムがセットとなっている場合）などが挙げられる。
【００７４】
制御装置５１は、ＩＤタグリーダ／ライタ６９で読み取ったプリント紙識別情報に基づいて、装着されたプリント紙６８ａ及びインクフィルムが、当該写真撮影プリント装置５において利用可能なものであるかを判定し、利用可能である場合にのみプリンタ６８を動作可能とする。すなわち、写真撮影プリント装置５において指定されているプリント紙６８ａ及びインクフィルム以外は使用できないように設定されていることになる。
【００７５】
また、ＩＤタグ６９ａに記録されている用紙枚数情報に基づいて、プリント紙６８ａを使用するごとに用紙枚数をカウントダウンしていくことによって、残りの用紙枚数を把握することが可能となる。よって、残りの用紙枚数が少なくなってきた際に、これを警告表示するような構成としておけば、利用者の利用中に用紙切れを起こすというような不具合を回避することが可能となる。なお、用紙枚数をカウントダウンする際には、ＩＤタグ６９ａに記録されている用紙枚数情報も書き換えるようにする。これにより、用紙を使い切った場合には、ＩＤタグ６９ａに記録されている用紙枚数情報も０となり、このＩＤタグ６９ａを無効にすることが可能となる。
【００７６】
また、ＩＤタグ６９ａに記録されている用紙種類情報や、インク固有の色情報を読み出すことによって、これらを考慮して画像データの色成分などを補正することにより、その用紙やインクフィルムに的確な画像出力を行うことが可能となる。
【００７７】
ＩＤタグ６９ａとしては、無線によりデータ通信を行うことが可能な非接触型ＩＤタグと、端子が設けられた接触型ＩＤタグとがあり、ＩＤタグリーダ／ライタ６９としては、これらのどちらか一方あるいは両方に対応したものとなる。
【００７８】
プリント紙６８ａとしては、通常の紙状媒体である紙状シートであってもよいし、粘着シートおよび該粘着シールの粘着面に貼り付けられている剥離シートからなるシールシートであってもよい。
【００７９】
（携帯電話機の構成）
次に、携帯電話機３について図１に基づいて説明する。携帯電話機３は、ＣＰＵなどからなる制御部３１、液晶パネルなどからなる表示画面３２、テンキーを備えた操作キー３３、ネットワーク２とのインターフェイスである通信部３４を備えている。この携帯電話機３は、インターネット上のＷｅｂページを閲覧するブラウザとして機能する。
【００８０】
制御部３１は、携帯電話機３における処理全体を制御する。表示画面３２及び操作キー３３は、携帯電話機の一般的な操作に関する表示及び入力を行うほか、携帯電話機３がブラウザとして機能するときのＷｅｂページの表示及びＷｅｂページへの入力を行う。このように、携帯電話機３がブラウザとして機能することで、更新合成画像の閲覧を行うことができる。
【００８１】
（写真撮影プリント装置の動作）
次に、写真撮影プリント装置５の一連の動作について、図６及び図７に示すフローチャートを参照しながら説明する。まず、ステップ１（以降、Ｓ１のように称する）において、硬貨の投入があるか否かの確認を行う。ここで、利用者による硬貨の投入があることを確認すると（Ｓ１においてＹＥＳ）、次のＳ２に進む。ここで、硬貨の投入を確認できない場合には（Ｓ１においてＮＯ）、硬貨の投入を待つ。すなわち、客待ち状態を維持する。この客待ち状態では、例えば、タッチパネル一体型モニタ６３にデモ画面等を表示させておいてもよい。
【００８２】
Ｓ２では、撮影処理が行われる。この撮影処理では、実際の撮影処理などが行われる。ここで、利用者は、タッチパネル一体型モニタ６３に表示されるライブビュー画像を確認しながら、自分の立ち位置やポーズなどを考え、準備が整い次第、撮影開始指示を行うことによって撮影が行われる。
【００８３】
そして、Ｓ３において、Ｓ２における撮影開始からの経過時間が設定時間（ここでは、２分）を超えたか否かを判断する。超えていない場合には（Ｓ３においてＮＯ）、Ｓ２における撮影処理が繰り返し行われる。なお、ここでは、経過時間が２分をオーバーした場合に撮影処理の終了を行う設定になっているが、例えば、撮影枚数が累積限度なった場合や、利用者によって撮影処理の終了指示が出されることにより、撮影処理が終了されるようになっていてもよい。
【００８４】
Ｓ３において、経過時間が２分を超えたことが確認されると（Ｓ３においてＹＥＳ）、Ｓ４に進む。
【００８５】
Ｓ４では、編集処理が行われる。編集処理では、タッチパネル一体型モニタ６３には、例えば、撮影画像が中央に配置され、その周囲に各種ボタン等が配置された編集処理画面が表示される（図８、図９参照）。この編集処理について図７を用いて説明する。
【００８６】
編集処理が開始すると、Ｓ１１において、利用者に編集画像の選択を行わせる。利用者は、編集処理画面に表示された複数の画像の中から編集を行う画像を選択する。タッチパネル一体型モニタ６３には、編集対象となる画像を選択するための選択画像が表示される。利用者は、タッチペン６４によって選択画像をタッチすることによって、中央に編集対象として表示される画像を切り替えることが可能となっていている。なお、この選択画像は、上記の撮影処理において、複数回の撮影が行われた場合の各撮影時における画像に相当するものである。選択が終わるとＳ１２に進む。
【００８７】
なお、上記編集処理画面には、利用者が落書き等の編集処理を行うためのツール類がツール表示領域１５０に表示される。ツール類としては、例えば背景ブラシ、スタンプ、ペン、消しゴムが挙げられる。ツール表示領域１５０に表示される、背景ブラシボタン１５０ａは背景にブラッシングをかかるボタン、スタンプボタン１５０ｂはスタンプを選択するためのボタン、ペンボタン１５０ｂは線図を書き込むためのボタン、消しゴムボタン１５０ｄは書き込んだ内容を消すためのボタンである。利用者は、各ボタンをタッチペン６４によってタッチすることでツールを選択することができる。
【００８８】
このツール類の選択で、利用者が、ツール表示領域１５０の「スタンプ」をタッチペン６４によってタッチすると、上記編集処理画面におけるスタンプ表示領域１５１に表示されるスタンプが使用できるようになる。また、スタンプ表示領域１５１には、季節スタンプ選択ボタン１５１ａと通常スタンプ選択ボタン１５１ｂとが表示されている。これらのボタンは、利用者が編集処理に使用するスタンプを、季節スタンプにするか、通常スタンプにするか、どちらかを選択できるように表示される。
【００８９】
利用者が季節スタンプ選択ボタンを選択すると、図８に示すようにスタンプ表示領域１５１に季節スタンプ１００が表示される。利用者は、スタンプ表示領域１５１に表示される複数の季節スタンプの中から、好みの季節スタンプ１００を選択して、編集処理を行うことができる。なお、その際、選択しなかった方の通常スタンプ選択ボタン１５１ｂは、使用できないことを利用者に確認させるために、季節スタンプ選択ボタン１５１ａより暗く表示される。
【００９０】
また、合成スタンプボタンを選択すると図９に示すようにスタンプ表示領域１５１に通常スタンプが表示される。利用者は、スタンプ表示領域１５１に表示される複数の通常スタンプの中から、好みの通常スタンプを選択して、編集処理を行うことができる。その際、選択しなかった方の季節スタンプ選択ボタン１５１ａは、使用できないということを利用者に確認させるために、通常スタンプ選択ボタン１５１ａより暗く表示される。
【００９１】
Ｓ１２では、利用者が季節スタンプを選択して編集処理を行った否かを判断する。利用者が、季節スタンプ１００を選択した判断すると（Ｓ１２においてＹＥＳ）、Ｓ１３に進む。利用者が季節スタンプを選択していないと判断すると（Ｓ１２においてＮＯ）、Ｓ１５に進む。
【００９２】
Ｓ１３では、季節スタンプ１００を用いた合成処理が行われる。そして、Ｓ１４に進む。
【００９３】
Ｓ１４では、合成画像に関するデータがサーバ装置へ送信される。つまり、Ｓ１２において利用者が選択した選択季節スタンプ情報とともに、利用者のＩＤや、撮影画像情報などを、サーバ装置４に送られる。そして、編集処理は終了する。
【００９４】
Ｓ１５では、通常スタンプを選択して編集処理を行ったか否かを判断する。通常スタンプを選択していないと判断すると（Ｓ１５においてＮＯ）、Ｓ１に戻る。通常スタンプを選択したと判断すると（Ｓ１５においてＹＥＳ）、Ｓ１６に進み、通常スタンプを用いた合成処理が行われ、編集処理は終了する。
【００９５】
以上のように編集処理が行われた後、図６のＳ５において、Ｓ４における編集開始からの経過時間が設定時間（ここでは、２分）を超えたか否かを判断する。超えていない場合には（Ｓ５においてＮＯ）、Ｓ４に戻って編集処理を継続する。なお、ここでは、経過時間が２分をオーバーした場合に撮影処理の終了を行う設定になっているが、例えば、利用者によって編集処理の終了指示が出されることにより、編集処理が終了されるようになっていてもよい。この経過時間がある一定時間になった時点で、まだ編集処理が行われていない選択画像があれば、タッチパネル一体型モニタ６３に「落書き忘れ」の画像データがある旨の表示を行ってもよい。または、編集処理の時間を、編集処理を行う対象の画像数で割って各画像に与えられた時間とし、各画像に与えられた時間が経過する毎に「次の画像の落書きをしない？」といった催促をタッチパネル一体型モニタ６３に表示させてもよい。上記のような表示により、利用者は、全ての画像に対して、編集処理忘れを防止することができる。また、利用者による編集処理の作業が終了すると、利用者の指示に基づいて、または自動的に、編集処理した各画像をどのような配置で、またどのような分割数で、プリント紙６８ａに印刷するのかが決定されてもよい。
【００９６】
Ｓ５において、経過時間が２分を超えたことが確認されると（Ｓ５においてＹＥＳ）、Ｓ６に進む。
【００９７】
Ｓ６では、印刷処理が行われる。Ｓ４において編集が施された画像データに基づいた画像を、プリンタ６８がプリント紙６８ａに対して出力し、このプリント紙６８ａがプリント排出口から排出される。
【００９８】
以上のシーケンスによって、写真撮影プリント装置５における一連の動作が終了する。
【００９９】
（画像変換処理）
次に、携帯電話機３から、サーバ装置４の合成画像データベース４２ｂに登録されている撮影画像を閲覧する際の、サーバ装置における画像変換処理について説明する。
【０１００】
利用者が、サーバ装置４から送られてきた合成画像の保存先アドレスを基に、携帯電話機３から、サーバ装置４が作成する閲覧用のＷｅｂページにアクセスすると、サーバ装置４において、季節情報取得部４１ａは、時計・カレンダ部４３が発生する日時情報（時情報）を取得し現在の季節を認識する。つまり、季節情報取得部４１ａは、月を基に季節を、春（４〜６月）夏（７〜９月）、秋（１０〜１２月）、冬（１〜３月）、４つに分類した情報を有している。そして、日時情報を取得すると、現在の日時がどの分類に含まれているかを判断することで季節を認識する。ここでは、現在は秋であるとする。
【０１０１】
そして、季節スタンプ画像取得部４１ｂは、合成画像データベース４２ｂから、携帯電話機３から送られてくるＩＤに対応するレコードに含まれる選択季節スタンプ画像データを読み出す。選択季節スタンプ画像データは、写真撮影プリント装置５で利用者の選択に供される種類毎に識別標識をもっている。なおここでは、選択季節スタンプ画像データは、花の種類のスタンプ画像データである、桜のスタンプ画像データであるとする。つまり、写真撮影プリント装置５において撮影した当時は春であり、そのとき利用者は、桜のスタンプを用いて編集処理を行ったものとする。
【０１０２】
次に、季節情報取得部４１ａが認識した現在の季節、つまり秋を基に、図２に示す季節スタンプ画像テーブル４２ａから、上記識別標識を基準にして同じ種類の季節スタンプ画像データを読み込む。つまり、ここでは、読み出した桜のスタンプ画像データに対応する、季節スタンプ画像データである、もみじのスタンプ画像データを読み込む。そして、季節スタンプ更新部４１ｃは、合成画像データベース４２ｂから、携帯電話機３から送られてくるＩＤに対応するレコードに含まれるスタンプ位置データを基に、もみじのスタンプ画像データを用いて、季節スタンプ画像を更新した合成画像を形成する。つまり、合成画像における季節スタンプの画像が、利用者が以前選択した桜から、季節に応じたもみじに更新される。つまり、ここでは、図１０（ａ）が撮影当時の合成画像であり、図１０（ｂ）が季節に応じて更新された更新合成画像である。この図１０（ｂ）の更新合成画像が、携帯電話機３の表示画面３２に表示される。利用者においては、同じ撮影画像を何度見ても違った印象で楽しむことができる。なお、上記では、選択季節スタンプ画像データが桜のスタンプ画像データだけであったので、桜のスタンプ画像だけが更新されたが、他の種類のスタンプ画像がある場合は、それらのスタンプ画像も、図２の季節スタンプ画像テーブルを用いて更新される。例えば、天気の種類のスタンプ画像が選択されていた場合には、合成画像は白みがかったものから、雨が降っているものに更新される。
【０１０３】
なお、更新合成画像を携帯電話機３にダウンロードできるようになっていてもよい。
【０１０４】
また、上記実施の形態では、写真撮影プリント装置５が合成する合成画像に対して、季節スタンプを更新させるようにしたが、スタンプに限定されることはない。例えば、写真撮影プリント装置５において選択したフレームが、携帯電話機３で別の季節に閲覧した際に、別のフレームに更新されるような構成でもよい。
【０１０５】
また、合成画像における修飾画像は、静止画像だけでな動画像であってもよい。具体的な例を用いて説明すると、桜が舞っている合成画像図が、もみじが舞っている合成画像に更新されるようになっていてもよい。このように動画像が更新される場合には、編集処理時だけでなく、撮影処理時の合成画像が更新されるようになっていてもよい。
【０１０６】
また、本実施形態では、上記したように、携帯電話機３からサーバ装置４にアクセスして、季節スタンプが更新された合成画像を閲覧したり、ダウンロードしたりするようになっている。しかし、例えば、写真撮影プリント装置５からサーバ装置にアクセスして、季節スタンプが更新された合成画像をプリントアウトできるようになっていてもよい。
【０１０７】
（補足）
なお、上記サーバ装置４の各部や各処理ステップは、ＣＰＵ（Central Processing Unit）などの演算手段が、ＲＯＭ（Read Only Memory）やＲＡＭ（Random Access Memory）などの記憶手段に記憶されたプログラムを実行し、キーボードなどの入力手段、ディスプレイなどの出力手段、あるいは、インターフェイス回路などの通信手段を制御することにより実現することができる。したがって、これらの手段を有するコンピュータが、前記プログラムを記録した記録媒体を読み取り、当該プログラムを実行するだけで、本実施形態の写真撮影プリント装置５の各種機能および各種処理を実現することができる。また、前記プログラムをリムーバブルな記録媒体に記録することにより、任意のコンピュータ上で前記の各種機能および各種処理を実現することができる。
【０１０８】
この記録媒体としては、マイクロコンピュータで処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【０１０９】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め装置本体に格納されているものとする。
【０１１０】
また、前記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【０１１１】
また、インターネットを含む通信ネットワークを接続可能なシステム構成であれば、通信ネットワークからプログラムをダウンロードするように流動的にプログラムを担持する記録媒体であることが好ましい。
【０１１２】
さらに、このように通信ネットワークからプログラムをダウンロードする場合には、そのダウンロード用のプログラムは予め装置本体に格納しておくか、あるいは別な記録媒体からインストールされるものであることが好ましい。
【０１１３】
（変形例）
上記では、写真撮影プリント装置５とサーバ装置４とが個別に構成されており、互いにネットワーク２を介して通信する場合について説明したが、図１１に示すように、サーバ装置４が写真撮影プリント装置５’に組み込まれていてもよい。なお、図１１では、図１に示した構成要素と同一の構成要素については同一の記号を付記している。この場合、制御装置５１は、ネットワーク２を介さずにサーバ装置４の制御部４１との間で通信を行うことになる。
【０１１４】
〔実施の形態２〕
本発明の他の実施形態について図１２および１３に基づいて説明すれば、以下のとおりである。
【０１１５】
図１２は、本実施形態における画像変換装置（携帯電話機３’）を有する画像変換システム２００の構成を示すブロック図である。
【０１１６】
図１２では、図１に示した構成要素と同一の構成要素については同一の記号を付記している。また、制御部４１’は、図１の制御部４１と制御部３１の両方の機能を兼ね備えている。
【０１１７】
上記実施の形態１では携帯電話機３は、サーバ装置４が画像変換した更新合成画像を閲覧するために用いられたが、本実形態では、携帯電話機３’は、画像変換処理を行う画像変換装置としても用いられる。この画像変換処理は、実施の形態１における画像変換処理と同様であるが、サーバ装置４にアクセルする必要はなく、利用者の閲覧要求に従って画像変更処理が開始される。本実施形態では、利用者は、別途設けられた画像変換装置にアクセスして更新合成画像を閲覧するようなことはしなくてもよい。つまり、利用者にとっては、更新合成画像を閲覧するための通信費用がかからないという利点がある。また、アクセスするための、アドレスやＩＤの入力といった面倒な操作も必要がなくなる。
【０１１８】
なお、画像変換装置として用いられるものは携帯電話機３に限定はされず、ＰＨＳ（登録商標）端末やＰＤＡ（Personal Digital Assistant）、パーソナルコンピュータなどが画像変換装置として用いられてもよい。
【０１１９】
なお、メモリ量が少ない携帯電話機３であった場合、季節スタンプ画像テーブルを有する記憶部４２を、外部のサーバ装置等に設けておいてもよい。また、この場合、写真撮影プリント装置５で作成してダウンロードした複数の合成画像を、データ量を削減して荒い合成画像として携帯電話機３の記憶部に記憶させておき、利用者の要求に応じて、図１３（ａ）に示すようにサムネイル表示できるようになっていてもよい。そして、この複数の合成画像の中から利用者が選択した合成画像を、図１３（ｂ）に示すように表示画面３２に大きく表示する。それと共に、外部のサーバ装置に接続して、季節に応じた季節スタンプ画像を読み出して、合成画像における季節スタンプを更新して、表示画面３２に表示できるようになっていてもよい。
【０１２０】
また、携帯電話機３のメモリが大きい場合、あるいは、携帯電話機３の代わりにパーソナルコンピュータ等が画像変換装置として用いられる場合は次のようになっていてもよい。すなわち、季節スタンプと撮影画像との合成画像を記憶部４２記憶する際、Ｊava（登録商標）Scriptを用いて書き込むようになっていてもよい。この場合、画像変換装置は、上記合成画像の季節スタンプを、季節、あるいは、日にち、時間等に対応させて、変更させて、表示画面３２で表示させるようになっていてもよい。
【０１２１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１２２】
本発明は、例えば、ゲームセンターなどの娯楽施設や遊戯施設において、利用者の写真撮影を行うとともに、その写真を背景画像などと合成した上でシールプリントとして出力する写真撮影プリント装置一般が合成する合成画像に対して利用することができる。
【図面の簡単な説明】
【０１２３】
【図１】本発明の実施の一形態に係る画像変換装置を有する画像変換システムの構成を示すブロック図である。
【図２】上記画像変換装置が有する季節スタンプ画像テーブルである。
【図３】（ａ）及び（ｂ）は、それぞれ図１の画像変換システムに含まれる写真撮影プリント装置の外観を示す正面図及び側面図である。
【図４】（ａ）及び（ｂ）は、それぞれ図３の写真撮影プリント装置の本体の外観を示す正面図及び側面図である。
【図５】図３の写真撮影プリント装置が備えるプリントユニットの構成を示すブロック図である。
【図６】図３の写真撮影プリント装置における処理の流れを示すフローチャートである。
【図７】図３の写真撮影プリント装置の編集処理における処理の流れを示すフローチャートである。
【図８】図３の写真撮影プリント装置における、季節スタンプが表示された編集処理画面の表示例である。
【図９】図３の写真撮影プリント装置における、通常スタンプが表示された編集処理画面の表示例である。
【図１０】（ａ）は図３の写真撮影プリント装置で撮影した当時の合成画像であり、（ｂ）は、図１の画像変換装置において季節スタンプが更新された更新合成画像である。
【図１１】図１の画像変換システムの一変形例を示すブロック図である。
【図１２】本発明の他の実施形態に係る画像変換装置を有する画像変換システムの構成を示すブロック図である。
【図１３】（ａ）及び（ｂ）は、携帯電話機における表示画面の表示例である。
【符号の説明】
【０１２４】
１      画像変換システム
２      ネットワーク
３      携帯電話機
３’    携帯電話機（画像変換装置）
４      サーバ装置（画像変換装置）
５      写真撮影プリント装置
５’    写真撮影プリント装置
４１      制御部
４１’    制御部
４１ａ    季節情報取得部（時情報取得部）
４１ｂ    季節スタンプ画像取得部（装飾画像取得部）
４１ｃ    季節スタンプ画像更新部（装飾画像更新手段）
４１ｄ    合成画像データベース管理部
４２      記憶部
４２ａ    季節スタンプ画像テーブル
４２ｂ    合成画像データベース
４３      時計・カレンダ部（時情報生成部）
４４      通信部
５１      制御装置
５１ｃ    画像合成部
５２      通信装置
５３      表示操作ユニット
５４      撮影ユニット
５５      プリントユニット
５６      記憶装置
１００    季節スタンプ（装飾画像）
１５０    ツール表示領域
１５１    スタンプ表示領域
【図１】
2005303851.tif 000003
【図２】
2005303851.tif 000004
【図３】
2005303851.tif 000005
【図４】
2005303851.tif 000006
【図５】
2005303851.tif 000007
【図６】
2005303851.tif 000008
【図７】
2005303851.tif 000009
【図８】
2005303851.tif 000010
【図９】
2005303851.tif 000011
【図１０】
2005303851.tif 000012
【図１１】
2005303851.tif 000013
【図１２】
2005303851.tif 000014
【図１３】
2005303851.tif 000015